【手続補正書】
【提出日】令和2年1月22日(2020.1.22)
【手続補正１】
【補正対象書類名】明細書
【補正対象項目名】００８１
【補正方法】変更
【補正の内容】
【００８１】
上記の説明は、例示的なものであって、限定的なものではない。例えば、上述した実施例（又はその１つ以上の態様）を、互いに組み合わせて使用してもよい。上述の説明を検討することにより、当業者により、他の実施形態を使用してもよい。要約は、読者が技術的開示の性質を迅速に確認することを可能にするために、３７Ｃ．Ｆ．Ｒ．§１．７２（ｂ）に準拠するように提供される。それは、請求項の範囲又は意味を解釈又は制限するために使用されるものではないことを理解して提出する。また、上述の詳細な説明において、様々な特徴は、開示を合理化するために、一緒にグループ化されてもよい。これは、請求項に記載されていない開示された特徴が任意の請求項に必須であることを意図するものとして解釈されるべきではない。むしろ、発明の主題は、特定の開示された実施形態のすべての特徴よりも少ないものでありうる。したがって、以下の特許請求の範囲は、実施例又は実施形態としての詳細な説明に組み込まれ、各特許請求の範囲は、独立した実施形態としてそれ自体を表し、それら実施形態は、様々な組み合わせ又は順列で互いに組み合わせることができるよう検討されている。本発明の範囲は、添付の特許請求の範囲を参照して、そのような特許請求の範囲が権利を与えられる均等物の全範囲とともに決定されるべきである。
本明細書に開示される発明は以下の態様を含む。
〔態様１〕
骨に整形外科用装置を取り付ける方法であって、
患者の関節窩に、ベースプレートであって該ベースプレートを通して延びる少なくとも第１の締結具用孔を含むベースプレートを配置することと、
第１の固定ポストを前記関節窩内に配置するために、前記第１の締結具用孔を通過させることによって、前記関節窩内に第１のポスト穴を形成することとを含み、
前記第１の固定ポストは、前記第１の固定ポストの遠位端にそこから延びる軸を有する準球状ヘッドを含み、前記準球状ヘッドは、前記第１の締結具用孔の少なくとも第１の壁を接触させるためのテクスチャード加工された外面を含み、前記第１の固定ポストは、また、前記軸上に受容された多孔質金属スリーブを含み、
該方法は、前記第１の固定ポストの前記遠位端を前記第１の締結具用孔を通して前記第１のポスト穴内に押し込むことによって、前記多孔質金属スリーブの外面が前記第１のポスト穴の面と係合し、前記準球状ヘッドの前記テクスチャード加工された外面が前記第１の締結具用孔の少なくとも前記第１の壁に接触して、前記準球状ヘッドを前記ベースプレートに取り外し可能にロックすることを含み、
前記押し込みにより、前記ベースプレートと前記関節窩との間に初期圧縮が生成され、前記多孔質金属スリーブは、前記ベースプレートと前記関節窩との間の前記初期圧縮を維持するために、前記多孔質金属スリーブ内への骨の内部成長を受容するように構成される、方法。
〔態様２〕
前記関節窩に第１のポスト穴を形成することは、前記関節窩に前記第１のポスト穴を穿設することを含む、態様１に記載の方法。
〔態様３〕
第１のポスト穴を穿設することは、ドリルビットを、該ドリルビットに回転運動を加えて、前記第１のポスト穴から骨材料を除去する工具と組み合わせて使用することを含む、態様２に記載の方法。
〔態様４〕
第１のポスト穴を穿設することは、チゼル工具を使用して、前記第１のポスト穴から骨材料を除去するために、前記チゼル工具に線形運動を加える工具と組み合わせて使用することを含む、態様２に記載の方法。
〔態様５〕
前記第１の締結具用孔の少なくとも第１の壁を前記準球状ヘッドの前記テクスチャード加工された外面と接触させることは、前記準球状ヘッドの前記テクスチャード加工された外面の少なくとも一部の面を前記第１の締結具用孔の少なくとも第１の壁に対して位置決めすることを含む、態様１に記載の方法。
〔態様６〕
前記第１の固定ポストの前記遠位端を押し込むことは、前記第１の固定ポストの前記準球状ヘッドに衝撃荷重力を加えることを含む、態様１に記載の方法。
〔態様７〕
前記第１の固定ポストの前記遠位端を押し込むことは、前記第１の固定ポストの前記準球状ヘッドに押圧荷重力を加えることを含む、態様１に記載の方法。
〔態様８〕
当該方法は、第２の固定ポストを前記関節窩内に配置するために、第２の締結具用孔を通過させることによって、前記関節窩に第２のポスト穴を形成することを含み、
前記第２の固定ポストは、前記第２の固定ポストの遠位端にそこから延びる軸を有する準球状ヘッドを含み、前記準球状ヘッドは、前記第２の締結具用孔の少なくとも第１の壁を接触させるためのテクスチャード加工された外面を含み、前記第２の固定ポストは、前記軸上に受容された多孔質金属スリーブも含み、
当該方法は、前記第２の固定ポストの前記遠位端を前記第２の締結具用孔を通して前記第２のポスト穴内に押し込むことによって、前記多孔質金属スリーブの外面が前記第２のポスト穴の面と係合し、前記準球状ヘッドの前記テクスチャード加工された外面が前記第２の締結具用孔の少なくとも前記第１の壁と係合して、前記準球状ヘッドを前記ベースプレートに取り外し可能にロックするようにすることを含み、
前記押し込むことは、前記ベースプレートと前記関節窩との間に初期圧縮を生成し、前記多孔質金属スリーブは、前記ベースプレートと前記関節窩との間の前記初期圧縮を維持するために、前記多孔質金属スリーブ内への骨の内部成長を受容するように構成される、
態様１に記載の方法。
〔態様９〕
前記第２の固定ポストは、前記第１の固定ポストとは独立して位置合わせされる、態様８に記載の方法。
〔態様１０〕
前記第２の締結具用孔の少なくとも第１の壁を、前記準球状ヘッドの前記テクスチャード加工された外面と係合させることは、前記準球状ヘッドの前記テクスチャード加工された外面の面の少なくとも一部を前記第２の締結具用孔の少なくとも前記第１の壁に対して位置決めすることを含む、態様８に記載の方法。
〔態様１１〕
前記第２の固定ポストの前記遠位端を押し込むことは、前記第２の固定ポストの前記準球状ヘッドに、衝撃荷重力をかけることを含む、態様８に記載の方法。
〔態様１２〕
前記第２の固定ポストの前記遠位端を押し込むことは、前記第２の固定ポストの前記準球状ヘッドに押圧荷重力をかけることを含む、態様８に記載の方法。
〔態様１３〕
整形外科用装置を骨に取り付けるための固定ポストであって、
テクスチャード加工された外面を有する準球状ヘッドと、
前記準球状ヘッドに取り付けられた近位端と、該近位端と反対側の遠位端と、前記近位端と遠位端との間の支持面とを含む軸と、
孔面を有する中央孔を含み、前記軸の少なくとも一部を取り囲む多孔質金属スリーブあって、前記孔面は、前記支持面と実質的に一致する多孔質金属スリーブと、
前記多孔質金属スリーブを前記軸上に保持するために前記軸の前記遠位端に取り付けられたキャップと、
を含む、固定ポスト。
〔態様１４〕
前記準球状ヘッド及び前記軸は、単一のコアを形成する、態様１３に記載の固定ポスト。
〔態様１５〕
前記多孔質金属スリーブは、前記準球状ヘッドと接触する近位のスリーブ面と、前記キャップと接触する遠位のスリーブ面とを含む、態様１３に記載の固定ポスト。
〔態様１６〕
前記軸は、回転防止機能部を含む態様１３に記載の固定ポスト。
〔態様１７〕
前記回転防止機能部は、概ね楕円形の断面を有する前記軸を含む、態様１６に記載の固定ポスト。
〔態様１８〕
前記回転防止機能部は、前記遠位のスリーブ面に一致するように構成されたテクスチャード加工された近位のキャップ面を含む、態様１６に記載の固定ポスト。
〔態様１９〕
前記キャップは、遠位のキャップ面を含み、前記遠位のキャップ面は、概ね半球形状である、態様１３に記載の固定ポスト。
〔態様２０〕
前記キャップは、遠位のキャップ面を含み、前記遠位のキャップ面は、概ね円錐形状である、態様１３に記載の固定ポスト。
【手続補正２】
【補正対象書類名】特許請求の範囲
【補正対象項目名】全文
【補正方法】変更
【補正の内容】
【特許請求の範囲】
【請求項１】
整形外科用装置を骨に取り付けるための固定ポストであって、
テクスチャード加工された外面を有する準球状ヘッドと、
前記準球状ヘッドに取り付けられた近位端と、該近位端と反対側の遠位端と、前記近位端と遠位端との間の支持面とを含む軸と、
孔面を有する中央孔を含み、前記軸の少なくとも一部を取り囲む多孔質金属スリーブあって、前記孔面は、前記支持面と実質的に一致する多孔質金属スリーブと、
前記多孔質金属スリーブを前記軸上に保持するために前記軸の前記遠位端に取り付けられたキャップと、
を含む、固定ポスト。
【請求項２】
前記準球状ヘッド及び前記軸は、単一のコアを形成する、請求項１に記載の固定ポスト。
【請求項３】
前記多孔質金属スリーブは、前記準球状ヘッドと接触する近位のスリーブ面と、前記キャップと接触する遠位のスリーブ面とを含む、請求項１に記載の固定ポスト。
【請求項４】
前記軸は、回転防止機能部を含む、請求項１に記載の固定ポスト。
【請求項５】
前記回転防止機能部は、概ね楕円形の断面を有する前記軸を含む、請求項４に記載の固定ポスト。
【請求項６】
前記多孔質金属スリーブは、前記準球状ヘッドと接触する近位のスリーブ面と、前記キャップと接触する遠位のスリーブ面とを含み、
前記回転防止機能部は、前記遠位のスリーブ面に一致するように構成されたテクスチャード加工された近位のキャップ面を含む、請求項４に記載の固定ポスト。
【請求項７】
前記キャップは、遠位のキャップ面を含み、前記遠位のキャップ面は、概ね半球形状である、請求項１に記載の固定ポスト。
【請求項８】
前記キャップは、遠位のキャップ面を含み、前記遠位のキャップ面は、概ね円錐形状である、請求項１に記載の固定ポスト。
【請求項９】
前記軸は、テーパ状にされている、請求項１に記載の固定ポスト。
【請求項１０】
前記軸は、遠位端の円形断面積よりも大きい近位端の円形断面積を含む、請求項９に記載の固定ポスト。
【請求項１１】
前記軸は、遠位端の円形断面積よりも小さい近位端の円形断面積を含む、請求項９に記載の固定ポスト。
【請求項１２】
前記多孔質金属スリーブは、概ね円筒状の外面を含む、請求項１に記載の固定ポスト。
【請求項１３】
前記多孔質金属スリーブは、天然海綿質の骨の微細構造に近似させ、それによって、骨の成長を組み込むための骨伝導性マトリックスを提供する多孔質外面を含む、請求項１に記載を固定ポスト。
【請求項１４】
前記準球状ヘッドのテクスチャード加工された外面は、三次元モザイク細工を含む、請求項１に記載の固定ポスト。
【請求項１５】
前記三次元モザイク細工は、複数の多角形要素を含む、請求項１４に記載の固定ポスト。
【請求項１６】
前記多角形要素は、三角形要素を含む、請求項１５に記載の固定ポスト。
【請求項１７】
前記準球状ヘッドのテクスチャード加工された外面は、複数の最も内側の凹部を含む、請求項１に記載の固定ポスト。
【請求項１８】
前記テクスチャード加工された外面は、前記準球状ヘッドの５０％超を覆う、請求項１に記載の固定ポスト。